(57)【特許請求の範囲】
【請求項１】
系統電圧（３）に接続された電力発生器（２）を定格動作モードで動作させる方法において、
前記系統電圧（３）を、前記系統電圧（３）が第１基準値（ＵＮ１）を突破する第１イベントの発生に関して監視し、
前記第１イベントが発生した場合に、前記電力発生器（２）の、前記定格動作モードとは異なる規定の動作モードとして、
ａ．前記電力発生器（２）の出力電力を低減する動作モード、
ｂ．現在の動作方式に比べて電流消費量が少ない動作方式に切り換える動作モード、
のうちの少なくとも一方の動作モードをトリガし、
当該方法は、プラズマ負荷に電力を供給するために使用され、
前記定格動作モードでは、前記プラズマ負荷に供給すべき電力信号を、前記系統電圧（３）に接続された前記電力発生器（２）によって生成する、
ことを特徴とする方法。
【請求項２】
前記第１イベントの発生を特定するために、前記系統電圧（３）を、前記第１基準値（ＵＮ１）の下回り又は上回りに関して監視する、
請求項１記載の方法。
【請求項３】
前記第１イベントの発生を特定するために、前記系統電圧（３）を、前記第１基準値（ＵＮ１）を下回っている期間又は上回っている期間に関して監視する、
請求項１又は２記載の方法。
【請求項４】
前記プラズマ負荷への電力の供給が維持されるように、且つ、前記プラズマ負荷が規定された状態で動作されるように、前記規定の動作モードを構成する、
請求項１から３のいずれか１項記載の方法。
【請求項５】
前記電力発生器（２）は、高周波電力信号を生成して、当該生成した高周波電力信号を前記プラズマ負荷に供給する高周波電力発生器である、
請求項１から４のいずれか１項記載の方法。
【請求項６】
前記規定の動作モードによって、前記プラズマ負荷におけるプラズマ状態が維持されるようにする、
請求項１から５のいずれか１項記載の方法。
【請求項７】
前記規定の動作モードにおいて、前記電力発生器（２）の出力電力を低減する、
請求項１から６のいずれか１項記載の方法。
【請求項８】
前記系統電圧（３）が、前記第１イベントの発生に関して監視したのとは異なる方向に前記第１基準値を突破する、又は、第２基準値（ＵＮ２）を突破する第２イベントの発生を特定するために、前記系統電圧（３）を、前記第１基準値又は前記第２基準値（ＵＮ２）の上回り又は下回りに関して監視する、
請求項１から７のいずれか１項記載の方法。
【請求項９】
前記系統電圧（３）が、前記第１イベントの発生に関して監視したのとは異なる方向に前記第１基準値を突破する、又は、第２基準値（ＵＮ２）を突破する第２イベントの発生を特定するために、前記系統電圧（３）を、前記第１基準値又は前記第２基準値（ＵＮ２）を上回っている期間又は下回っている期間に関して監視する、
請求項１から８のいずれか１項記載の方法。
【請求項１０】
前記第２イベントが発生した場合に、
ａ．前記電力発生器（２）の前記出力電力を増加させる動作モード、
ｂ．現在の動作方式に比べて電流消費量が多い動作方式に切り換える動作モード、
のうちの少なくとも一方の動作モードをトリガする、
請求項８又は９記載の方法。
【請求項１１】
前記第１イベントが発生した場合に、前記電力発生器（２）と前記プラズマ負荷との間の整合回路（６）におけるコンデンサのコンデンサ位置を保持する、
請求項１から１０のいずれか１項記載の方法。
【請求項１２】
前記規定の動作モードの実施中に生成される電力を検出し、引き続く後続動作モードでは、前記規定の動作モード中に検出された前記電力に基づいて、前記規定の動作モードより小さい再起動電流で電力を生成する、
又は、
前記系統電圧（３）の降下中に供給されなかった出力電力を検出し、前記系統電圧（３）が再び利用可能になると、引き続く後続動作モードでは、前記系統電圧（３）の中断フェーズ中に供給されなかった前記出力電力に基づいて、前記後続動作モードのプロセスを延長させる若しくは前記出力電力を増加させる、
請求項１から１１のいずれか１項記載の方法。
【請求項１３】
電力発生器（２）であって、
・系統電圧（３）を測定するための測定装置（１０）と、
・測定された前記系統電圧（３）を監視するための監視装置（１１）と、
・請求項１から１２のいずれか１項記載の方法を実施するための動作モード選択装置（１２）と、
を有することを特徴とする電力発生器（２）。
【請求項１４】
生成される電力を測定するための電力測定装置（１５）が設けられている、
請求項１３記載の電力発生器。
【請求項１５】
生成される電力を設定するための設定装置が設けられている、
請求項１３又は１４記載の電力発生器。
【発明の詳細な説明】
【技術分野】
【０００１】
本発明は、系統電圧に接続された電力発生器を定格動作モードで動作させる方法に関する。
【０００２】
本発明はさらに、電力発生器に関する。
【背景技術】
【０００３】
電力発生器、特に高周波電力発生器は、基本的に、例えば５０Ｈｚの場合に３×４００Ｖを供給する３相送電系統から給電される。天候の影響、負荷側での変動、及び、系統電源側での他の影響に起因して、３相送電系統によって供給される系統電圧においては、種々の期間にわたって部分的な又は完全な降下が発生する可能性がある。これが特に問題となるのは、電力発生器によって給電される負荷としてプラズマが使用される場合である。プラズマのインピーダンスは、電力発生器によって供給される電力に対する依存性を示す。電力がある程度の時間にわたって完全に欠如している場合には、直接的に可逆不可能なプロセスが進行する。例えばプラズマが消失する可能性があり、このことによって再度の点火プロセスが必要となる。プラズマを用いて膜を形成する場合には、膜の表面の特性が不所望に変化するおそれがある。
【発明の概要】
【発明が解決しようとする課題】
【０００４】
本発明の課題は、電力発生器が系統電圧の比較的長期間の中断を乗り越えて即座に再び使用可能な状態になるように、系統電圧の中断を克服するための手段を提供することである。
【課題を解決するための手段】
【０００５】
本発明によれば上記の課題は、系統電圧に接続された電力発生器を定格動作モードで動作させる方法において、系統電圧又は系統電圧から導出されるパラメータを、少なくとも１つの所定のイベントの発生に関して監視し、少なくとも１つの所定のイベントが発生した場合に、電力発生器の、前記定格動作モードとは異なる規定の動作モードをトリガする、方法によって解決される。
【０００６】
定格動作モードでは、負荷を規定通りに動作させるために負荷に供給すべき電力信号を生成する。
【０００７】
従って、本発明に係る方法は、負荷、特にプラズマ負荷に電力を供給するために使用され、定格動作モードでは、負荷に供給すべき電力信号が、系統電圧に接続された電力発生器によって生成され、系統電圧又は系統電圧から導出されるパラメータが、少なくとも１つの所定のイベントの発生に関して監視され、少なくとも１つの所定のイベントが発生した場合に、電力発生器の、前記定格動作モードとは異なる規定の動作モードがトリガされる。上記の方法は、高周波電力信号を生成して、当該生成した高周波電力信号をプラズマ負荷に供給する高周波電力発生器の場合に特に有利である。例えば負荷、特にプラズマ負荷への電力の供給が維持されるように、且つ、負荷が規定された状態で動作されるように、規定の動作モードを構成することができる。
【０００８】
これに代えて又はこれに加えて、規定の動作モードによって、負荷における物質状態、例えばプラズマ状態が維持されるようにすることができる。
【０００９】
これに代えて又はこれに加えて、規定の動作モードによって、プラズマ負荷の場合にプラズマが消失しないようにすることができる。
【００１０】
これに代えて又はこれに加えて、規定の動作モードによって、負荷、特にプラズマにおいて所定数の電荷担体が動いている状態に維持されるようにすることができる。
【００１１】
これに代えて又はこれに加えて、規定の動作モードとして、電力発生器の出力電圧を低減することができる。極端なケースでは、電力発生器の出力電圧を０Ｗの出力電圧まで低減することができる。
【００１２】
本発明に係る方法によれば、冒頭に述べた欠点を回避することができる。特に負荷において、可逆不可能なプロセスを回避することが可能となる。それと同時に、電力発生器を完全に停止させることなく、すなわち電力発生器の制御機能を停止させることなく、系統電圧の比較的長期間の低下を克服することが可能となる。
【００１３】
第１イベントの発生を特定するために、系統電圧又は系統電圧から導出されるパラメータを、第１基準値の突破、特に第１基準値の下回りに関して監視することができる。例えば、系統電圧が降下して所定の基準値未満に減少したかどうかを監視することができる。このケースでは、規定の動作モードをトリガすることができる。
【００１４】
これに代えて又はこれに加えて、第１イベントの発生を特定するために、系統電圧又は系統電圧から導出されるパラメータを、第１基準値を突破している期間、特に第１基準値を下回っている期間に関して監視することができる。特に、系統電圧又は系統電圧から導出されるパラメータが所定の第１期間にわたって第１基準値を突破している場合、特に第１基準値を下回っている場合に、規定の動作モードをトリガすることができる。これによって規定の動作モードの性急なトリガを回避することができる。
【００１５】
所定の第１期間は、例えば固定的に設定することができる。これに代えて又はこれに加えて、所定の第１期間を、ユーザによって手動で又はデータインタフェースを介して設定することができる。これに代えて又はこれに加えて、所定の第１期間を、系統電圧又は系統電圧から導出されるパラメータの変化速度に基づいて可変にすることができる。これに代えて又はこれに加えて、所定の第１期間を、負荷に供給される電力の大きさに基づいて可変にすることができる。
【００１６】
所定の第１イベントが発生した場合に、
ａ．電力発生器の出力電力を低減する動作モード、
ｂ．現在の動作方式に比べて電流消費量が少ない動作方式に切り換える動作モード、
のうちの少なくとも一方の動作モードをトリガすることができる。
【００１７】
特にパルスモードに切り換えることができる。このことは、電力発生器によって生成される電力信号がパルス状に出力されることを意味している。特に２０％未満、それどころか特に１０％未満、特に好ましくは２％未満のデューティ比（デューティサイクル）を有する電力信号を出力することができる。これにより、電力発生器の電源部に貯蔵されたエネルギを用いて負荷のプラズマ状態をより長期間にわたって維持することが可能となる。
【００１８】
電力発生器の出力電力は、２０％未満、それどころか特に１０％未満、特に好ましくは２％の出力電力まで低減することができる。
【００１９】
電力発生器の電流消費量は、２０％未満、それどころか特に１０％未満、特に好ましくは２％の電流消費量まで低減することができる。
【００２０】
電力発生器によって克服可能な系統電圧の低下期間を、これによって５０倍以上に延長することが可能となる。本発明に係る規定の動作モードのトリガを実施しなければ、電力発生器が、完全停止までの間に１ｍｓ乃至１０ｍｓ未満の系統電圧の低下にしか耐久できない場合には、本発明に係る規定の動作モードのトリガを実施することによって、電力発生器は、１０ｍｓ乃至１０００ｍｓ以上の期間を克服することが可能となる。
【００２１】
第２イベントの発生を特定するために、系統電圧又は系統電圧から導出されるパラメータを、第１基準値又は第２基準値の突破、特に第１基準値又は第２基準値の上回りに関して監視することができる。この場合にも、第２イベントの発生が識別されると、規定の動作モードをトリガすることができる。この場合には、系統電圧又は系統電圧から導出されるパラメータが、以前に第１イベントの発生に関して検出した方向とは異なる方向に第１基準値を突破した場合に、第２イベントが発生したと識別することができる。しかしながら、第１基準値とは一致しない第２基準値を使用することも可能である。第２基準値は、第１基準値より大きくても又は小さくてもよい。第２イベントの発生を特定するために使用されるパラメータは、第１イベントの発生を特定するために使用されるパラメータと同じであっても又は異なっていてもよい。
【００２２】
第２イベントの発生を特定するために、系統電圧又は系統電圧から導出されるパラメータを、第１基準値又は第２基準値を突破している期間、特に第１基準値又は第２基準値を上回っている期間に関して監視することができる。特に、系統電圧又は系統電圧から導出されるパラメータが別の規定の期間にわたって第１基準値又は第２基準値を突破している場合、特に第１基準値又は第２基準値を上回っている場合に、別の規定の動作モードをトリガすることができる。これによって規定の動作モードの早期のトリガを阻止することができる。これは例えば、定格電力の低下が１ｋＷ、特に１０ｋＷを超える、多数の強力な電流負荷が接続された比較的大型の装置において重要である。数マイクロ秒乃至約１０００ｍｓの範囲の短期間の系統電圧の低下後に、多数の電流負荷は、各自の内蔵のエネルギ貯蔵器が消費し尽くされた後に停止する。しかしながら、このような短時間の後では停止しない電流負荷も、各自のエネルギ貯蔵器に貯蔵されたエネルギの少なくとも一部を消費する。ここで系統電圧が再び上昇すると、複数の電流負荷の殆どが、同時に再び定格電力消費に切り替わり、それに加えて、各自の内蔵のエネルギ貯蔵器を充電するための追加的な電力需要に切り替わる。この追加的な電力需要は、装置の系統接続電力がこのような電力供給用に設計されていない場合には欠点となりうる。その場合には、過電流に基づいて系統電圧が再び非常に迅速に低下してしまうおそれがある。過電流保護装置の作動に基づいて系統電圧の完全故障が発生するおそれもある。
【００２３】
これに対して、別の所定の期間を設けることで対処することができ、特に、大型のエネルギ貯蔵器が装備された電流負荷が、当該別の所定の期間の経過後に初めて再び給電系統から各自の定格電力を受け取るようにすることによって対処することができる。大型のエネルギ貯蔵器は、１Ｊ乃至数１００Ｊの範囲で電気エネルギを貯蔵することができる。エネルギ貯蔵器は、電流負荷の定格電力に基づいて設計されていることが多く、その定格電力は、１Ｊ／ｋＷ乃至数１０Ｊ／ｋＷの範囲にある。この別の所定の期間の間に、電力発生器自体、しかしながらまた他の負荷も、系統電源の過負荷を引き起こしてしまうことなく各自のエネルギ貯蔵器を充電することが可能である。
【００２４】
従って、第１基準値を下回っている場合における第１方法ステップに引き続いた、第１基準値又は第２基準値を上回っている場合における当該方法ステップは、特に重要である。なぜなら、系統電圧の降下後には給電系統の過負荷の危険性が特に高いからであり、というのは、このようなケースでは多くの場合、特に多数の強力な電流負荷が、定格電力を消費し、各自のエネルギ貯蔵器を充電することを同時に試みるからである。
【００２５】
別の所定の期間は、例えば固定的に設定することができる。これに代えて又はこれに加えて、別の所定の期間を、ユーザによって手動で又はデータインタフェースを介して設定することができる。これに代えて又はこれに加えて、別の所定の期間を、系統電圧又は系統電圧から導出されるパラメータの変化速度に基づいて可変にすることができる。これに代えて又はこれに加えて、別の所定の期間を、負荷に供給される電力の大きさに基づいて可変にすることができる。これに代えて又はこれに加えて、別の所定の期間を、系統電圧の低下期間に基づいて可変にすることができる。
【００２６】
全ての方法ステップにおいて、第１基準値又は第２基準値の突破は、デバウンスされた状態で発生しうる。このことは、所定のインターバル内における基準値の上回りと下回りとの交代が、この所定のインターバル後に、基準値の最初の突破が維持されたままである場合にのみ、そのように識別されるということを意味することとする。このようなデバウンスは、例えばシュミットトリガの使用によって、又は、ヒステリシスの導入によって、又は、所定のインターバル内における突破の複数回チェックによって実施することができる。
【００２７】
所定の第２イベントが発生した場合に、
ａ．電力発生器の出力電力を増加させる動作モード、
ｂ．現在の動作方式に比べて電流消費量が多い動作方式に切り換える動作モード、
のうちの少なくとも一方の動作モードをトリガすることができる。
【００２８】
特に電力発生器の出力電力を、当初の値まで、すなわち所定の第１イベントの発生後に規定の動作モードがトリガされる前の値まで増加させることができる。すなわち、定格動作モードに移行させることができる。
【００２９】
これに代えて又はこれに加えて、小さいデューティ比を有するパルスモードから、電力供給の定格動作モードに戻すこと、例えば負荷への電力信号の連続供給に戻すこと、又は、より大きいデューティ比（デューティサイクル）を有するパルスモードでの供給に戻すことが考えられる。
【００３０】
これに代えて又はこれに加えて、系統電圧の復帰時の再起動電流が小さくなる動作モードに切り換えることが考えられる。
【００３１】
第１イベントが発生した場合に、高周波電力発生器と負荷との間の整合回路の設定を固定することができる。特に、整合回路におけるコンデンサのコンデンサ位置を保持することができる。これにより、定格動作モードに戻る場合に、インピーダンス整合をより簡単に実施することが可能となる。
【００３２】
第１イベントが発生した場合に整合回路の設定を固定する代わりに、整合回路の構成素子を規定の値にセットするようにしてもよい。このことは、例えば機械的に変化しやすい又は電子的に接続された整合回路において考慮の対象となる。インピーダンス整合のために電力発生器の周波数を変更する場合には、第１イベントが発生した場合に所定の周波数を設定することもできる。
【００３３】
規定の動作モードの実施中に生成される電力を検出することができ、引き続く後続動作モードでは、規定の動作モード中に検出された前記電力に基づいて電力を生成することができる。特にこのようにして、第１イベントの発生後に設定された動作モードから定格動作モードに切り換えることが可能であり、これらのモード間にある後続動作モードでは、より小さい再起動電流で動作される。これに代えて、系統電圧の降下中に供給されなかった出力電力を検出し、次いで、系統電圧が再び利用可能になると、中断フェーズ中に供給されなかった前記出力電力に基づいてプロセスを延長させること、又は、出力電力を増加させることが考えられる。
【００３４】
さらには、電力発生器であって、
・系統電圧又は系統電圧から導出されるパラメータを測定するための測定装置と、
・測定された系統電圧又は系統電圧から導出されるパラメータを監視するための監視装置と、
・動作モード選択装置と、
を有する電力発生器も、本発明の範囲内に含まれる。
【００３５】
このような電力発生器によって本発明に係る方法を実施することが可能である。上述した利点が得られる。
【００３６】
動作モード選択装置は、複数の規定の動作モードを設定するように構成することができる。
【００３７】
電力発生器は、例えばプラズマ又は蒸着プロセスの場合のように物質状態が変化しうる負荷に給電するために使用することができる。
【００３８】
例えば、負荷、特にプラズマ負荷への電力の供給が維持されるように、且つ、負荷が規定された状態で動作されるように、規定の動作モードを構成することができる。
【００３９】
これに代えて又はこれに加えて、規定の動作モードによって、負荷における物質状態、例えばプラズマ状態が維持されるようにすることができる。
【００４０】
これに代えて又はこれに加えて、規定の動作モードによって、プラズマ負荷の場合にプラズマが消失しないようにすることができる。
【００４１】
これに代えて又はこれに加えて、規定の動作モードによって、負荷、特にプラズマにおいて所定数の電荷担体が動いている状態に維持されるようにすることができる。
【００４２】
これに代えて又はこれに加えて、規定の動作モードとして、電力発生器の出力電圧を低減することができ、極端なケースでは、電力発生器の出力電圧を０Ｗの出力電圧まで低減することができる。
【００４３】
電力発生器は、上述した方法が実施可能となるように、測定装置と、監視装置と、動作モード選択装置とに充分なエネルギを供給する規定の動作モードで、所定の期間にわたって動作可能となるのに充分なエネルギ貯蔵器、特に容量性のエネルギ貯蔵器を有することができる。容量性のエネルギ貯蔵器は、数１００μＦのキャパシタンスを有することができる。容量性のエネルギ貯蔵器は、数１００Ｖの電圧まで充電可能に構成されている。従って、数ジュールのエネルギを貯蔵することができる。
【００４４】
これに代えて又はこれに加えて、電力発生器を、物質状態が変化しない負荷、例えば誘導加熱又は誘電加熱のための負荷に給電するために使用することができる。後者の負荷の場合には、第１イベントが発生した場合に、例えば電力発生器の１３．５６ＭＨｚのクロックの除去によって出力電力を０まで低減することができ、その一方で、電力発生器における１つ又は複数の中間回路は、充電されたまま維持される。こうすることによって、所要の系統電圧の復帰時の再起動電流を特に小さくすることが可能となる。
【００４５】
電力発生器は、生成される電力を測定するための電力測定装置を有することができる。
【００４６】
これに代えて又はこれに加えて、生成される電力を設定するための設定装置を設けることができる。
【００４７】
本発明のさらなる特徴及び利点は、本発明の本質的な詳細を示した図面に基づく、本発明の実施例についての以下の記載と、特許請求の範囲とから明らかとなる。個々の特徴は、それぞれ単独でも複数の任意の組み合わせでも本発明の変形形態において実現することができる。
【００４８】
本発明の好ましい実施例を図面に概略的に図示し、図面を参照しながら以下に詳細に説明する。
【図面の簡単な説明】
【００４９】
【図１】プラズマシステムの概略図である。
【図２】本発明に係る方法を説明するためのフローチャートである。
【図３ａ】系統電圧の時間推移を図示するための線図である。
【図３ｂ】電力発生器の出力電力の時間推移を図示するための線図である。
【発明を実施するための形態】
【００５０】
図１は、系統電圧３に接続された電力発生器２を有するプラズマシステム１を示す。系統電圧３は、以下の記載では供給電圧とも呼ばれる。電力発生器２は、電力信号を生成し、この電力信号は、出力部４において出力される。出力部４において出力された電力は、ケーブル５と、任意選択の整合回路６とを介してプラズマチャンバ７に、特にプラズマチャンバ７内の電極８に供給することができる。プラズマチャンバ７では、電力発生器２によって供給される電力によって例えばプラズマ９を形成することができる。測定装置１０によって、供給された系統電圧３又は系統電圧３に関連するパラメータを検出することができる。検出されたパラメータは、監視装置１１に供給することができる。監視装置１１は、測定された系統電圧又は系統電圧から導出されるパラメータが、所定の基準値を上回っているか又は下回っているかを監視する。監視装置１１によって所定のイベントが発生したことが識別されると、動作モード選択装置１２によって規定の動作モード２をトリガすることができる。
【００５１】
監視装置１１によって所定のイベントの発生が検出された場合に、整合回路６に信号を供給することもでき、整合素子１３，１４を所定の値に設定することができるか、又は、整合素子１３，１４の既存の値又は現在の状態に固定することができる。規定の動作モードによって例えば、非常に低い系統電圧３しか供給されないにも拘わらず、又は、それどころか系統電圧３が完全に欠如しているにも拘わらず、プラズマチャンバ７内のプラズマ９が消失しないようにすることが可能となる。
【００５２】
電力測定装置１５によって出力部４における電力を測定することができる。これは、電力発生器２で生成された電力、及び／又は、負荷、例えばプラズマ９で反射された電力とすることができる。測定された電力に基づいて、電力発生器２で生成された電力を制御することができ、及び／又は、整合回路６を設定することができる。
【００５３】
図２では、本発明に係る方法が詳細に説明される。ステップ１００では、電力発生器２によって定格動作モードにおいて電力信号が形成され、この電力信号が出力部４において出力され、プラズマチャンバ７内の負荷に、特にプラズマ９に供給される。ステップ１０１では、測定された系統電圧又は系統電圧から導出されるパラメータが所定の第１基準値を突破しているかどうかが監視される。これが当てはまらない場合にはステップ１００に戻り、すなわち、引き続き定格動作モードで、負荷に供給するために電力が生成される。
【００５４】
これに対して、第１基準値の突破が検出されるとステップ１０２に移行し、このステップ１０２では、第１イベントの発生を特定するために、系統電圧又は系統電圧から導出されるパラメータが第１基準値を突破している期間、特に第１基準値を下回っている期間に関して監視される。
【００５５】
ステップ１０３では、系統電圧又は系統電圧から導出されるパラメータが第１基準値を所定の第１期間にわたって突破しているかどうかがチェックされる。これが当てはまらない場合にはステップ１００に戻り、すなわち、引き続き定格動作モードで、負荷に供給するために電力が生成される。
【００５６】
これに対して、規定の第１期間にわたる第１基準値の突破が検出されるとステップ１０４に移行し、このステップ１０４では、電力発生器の規定の動作モードがトリガされる。ここでは例えば、電力発生器２によって出力される電力を低減することが可能である。
【００５７】
測定された系統電圧又は系統電圧から導出されるパラメータが所定の第１基準値を突破している場合に、ステップ１０２及び１０３を省略することも可能であり、すなわちステップ１０１からステップ１０４に直接飛ぶことも可能である。
【００５８】
任意選択のステップ１０５では、系統電圧又は系統電圧に関連するパラメータが第１基準値又は第２基準値を突破しているかどうかがチェックされる。これが当てはまらない場合には規定の動作モードが維持され、すなわちステップ１０２に移行する。第１基準値又は第２基準値の突破が検出されると、別の規定の動作モードがトリガされる。示された実施例では、この別の規定の動作モードは、ステップ１００の定格動作モードに一致する。しかしながら、他の規定の動作モードを実施することも考えられる。別の規定の動作モードを直接的にトリガする代わりに、系統電圧又は系統電圧から導出されるパラメータが別の規定の期間にわたって第１基準値又は第２基準値を突破している場合、特に第１基準値又は第２基準値を上回っている場合に、この別の規定の動作モードをトリガするようにすることも可能である。
【００５９】
図３ａは、系統電圧を時間軸上にプロットした線図を示す。系統電圧の推移には、参照符号３０が付されている。まず初めは、完全な系統電圧が供給される。しかしながらこの系統電圧３０は、時点ｔ１に第１基準値ＵＮ１を下回る。系統電圧３０は、時点ｔ２に第１期間ｔｄ１にわたって基準値ＵＮ１を下回った。このことは、所定の第１イベントの発生と同義である。所定の第１イベントの発生が検出されたので、規定の動作モードがトリガされ、本実施例ではこのことは、電力発生器２の出力部４において出力される電力３１（図３ｂ参照）が低減されること、特にパルス状に出力されることを意味している。
【００６０】
電力発生器２の出力部４において出力される電力３１は、時点ｔ２までは定格電力ＰＲＦ１と同じである。出力される電力３１は、時点ｔ２から時点ｔ４まで、定格電力ＰＲＦ１に比べて低減された電圧振幅ＰＲＦ２でパルス化される。パルス状の出力電圧の周期は、Ｔで表されている。パルスの期間ｔＰは、パルスの休止期間ｔＰＰよりも格段に短いことが見て取れる。このことは、デューティ比が２０％よりも、特に１０％よりも格段に小さいことを意味している。時点ｔ３に、系統電圧３０が第２基準値ＵＮ２を上回ったことが検出される。しかしながら動作モードは変更されない。別の期間ｔｄ２の経過後の時点ｔ４に系統電圧３０が依然として第２基準値ＵＮ２を下回っていることが識別されて初めて、所定の第２イベントの発生が検出され、時点ｔ４に再び当初の出力電力が生成される。別の期間ｔｄ２は、第１期間ｔｄ１よりも長く設定することができる。別の期間ｔｄ２は、特に第１期間ｔｄ１よりも１０倍だけ長く設定することができる。第１期間ｔｄ１は、１マイクロ秒乃至数１０００マイクロ秒の期間で設定することができる。別の期間ｔｄ２は、１ミリ秒乃至数１０００ミリ秒の期間で設定することができる。
【００６１】
電力発生器２は、ハウジング内に、特に金属製のハウジング内に収容することができ、電力供給接続部を有する。２つの装置内に１つ又は複数のアセンブリを配置することができる。アセンブリは、金属製の基体及び／又はプリント基板上に取り付けることができる。さらには、空気循環用及び冷却用の送風機接続部を設けることができる。電力発生器２はさらに、冷媒接続部のような種々の接続部、又は、外部コンポーネントとの電気接続用の接続部を有することができる。全ての接続部には、電力発生器の障害耐性を向上させるため、及び、電力発生器の干渉放射を制限するために、電子的なフィルタを設けることができる。
【００６２】
測定装置１０と、監視装置１１と、動作モード選択装置１２とは、それぞれ個別に単体で又は任意の組み合わせで、制御ユニットの一部とすることができる。制御ユニットは、アナログの制御ユニットとして構成することも、又は、特にデジタルの制御ユニットとして構成することも可能である。このために測定信号がフィルタリングされ、サンプリングされ、デジタル化される。デジタルの制御ユニットは、マイクロプロセッサ、例えばデジタルシグナルプロセッサ（ＤＳＰ）又はプログラマブルロジックデバイス（ＰＬＤ）、特にＦＰＧＡにおいて実現することができる。これによって制御ユニットは、特に高速に動作することが可能となる。
【図１】
0006685294.tif 000002
【図２】
0006685294.tif 000003
【図３ａ−３ｂ】
0006685294.tif 000004